Podtech/llm-jp-corpus-v4-ja_patent huggingface dataset:
(57)【要約】【課題】  従来のローラー型浸透印を具備する接着テープスタンプ装置では、常に接着テープがローラーに密着しているので、所要位置のみに印字することができなかった。【解決手段】  ロール状態から手動引き出しで接着テープが搬送される接着テープ供給手段と、インキを含浸させた浸透印を備え、非接触状態を維持した前記搬送される接着テープが印字領域に達したときに、前記接着テープの非接着面を押圧し、前記浸透印で前記接着テープの接着面に捺印する捺印手段と、前記接着テープの接着面に印字が行われた後に、所要位置で手作業により切断させる切断手段と、を有することを特徴とする接着テープスタンプ装置【選択図】      図１
2010214911.tif 000002
【特許請求の範囲】
【請求項１】
ロール状態から手動引き出しで接着テープが搬送される接着テープ供給手段と、
インキを含浸させた浸透印を備え、非接触状態を維持した前記搬送される接着テープが印字領域に達したときに、前記接着テープの非接着面を押圧し、前記浸透印で前記接着テープの接着面に捺印する捺印手段と、
前記接着テープの接着面に印字が行われた後に、所要位置で手作業により切断させる切断手段と、
を有することを特徴とする接着テープスタンプ装置。
【発明の詳細な説明】
【技術分野】
【０００１】
本発明は、浸透印にて接着テープに文字、記号、数字、図形等を印字するスタンプ装置に関する。
【背景技術】
【０００２】
従来、接着テープの接着面に所定内容を印字するスタンプ装置として、特公昭４４−９０６８号、登録実用新案第３０３５３６３号が開示されている。これらは、文字・図形等が印字できるインキ含浸式のローラー型浸透印を回転自由に取り付け、回転盤に取り付けられた接着テープを引き出すことによって、ローラー型浸透印が回転して当該テープの接着面に文字・図形等を印字することが開示されている。
【０００３】
【特許文献１】特公昭４４−９０６８号公報
【特許文献２】登録実用新案第３０３５３６３号公報
【発明の開示】
【発明が解決しようとする課題】
【０００４】
しかしながら、上記ローラー型浸透印を具備する接着テープスタンプ装置では、常に接着テープがローラーに密着しているので、所要位置のみに印字することができなかった。
そこで、本発明は所要位置のみに印字ができ、かつ、所要位置で接着テープを切断することができる接着テープのスタンプ装置を提供する。
【課題を解決するための手段】
【０００５】
ロール状態から手動引き出しで接着テープが搬送される接着テープ供給手段と、
インキを含浸させた浸透印を備え、非接触状態を維持した前記搬送される接着テープが印字領域に達したときに、前記接着テープの非接着面を押圧し、前記浸透印で前記接着テープの接着面に捺印する捺印手段と、
前記接着テープの接着面に印字が行われた後に、所要位置で手作業により切断させる切断手段と、
を有することを特徴とする接着テープスタンプ装置。
【発明の効果】
【０００６】
本発明によれば、接着テープ供給手段から手動引き出しで接着テープを搬送するもので、必要量接着テープを引き出した後、浸透印をもって所要位置のみに印字ができ、適宜な所要位置で手作業により接着テープを切断させる構成とすることにより、装置自体を安価とすることができると共に、シンプルで汎用性・自由度の高い構成の装置とすることができるものである。
【発明を実施するための最良の形態】
【０００７】
以下、本発明の最良の実施形態を説明する。
図１に、本発明に係る接着テープスタンプ装置を示す。回転体３にロール状の接着テープ２を取り付け、これを外装体１に回転可能に内蔵させて接着テープ供給手段が構成される。この接着テープ供給手段から接着テープ２が手動引き出しによって搬送される。
外装体１の縁端部の先端には接着テープ２を手動引出搬送後の適宜な位置で手作業により切断させるためのテープカッター５からなる切断手段が設けられる。
通常時、前記接着テープは接着テープ供給手段と切断手段の間に架空される。
外装体１の接着テープ供給手段と切断手段の間には、連続気泡を有しインキを内蔵した浸透印からなる捺印手段が設置されている。浸透印の印面は文字・図形等が形成されている。また、当該浸透印は、通常時は接着テープの接着面に接触しないように設置される。接着テープスタンプ装置の不使用時に誤って押印しないように浸透印には蓋体を付設してもよい。
【０００８】
本発明の接着テープスタンプ装置の使用者は、上記の通り接着テープ供給手段と切断手段の間に架空される接着テープを所要の位置まで手動で搬送したのち、接着テープが所要の印字領域に達したときに、接着テープの非接着面側を押圧し、接着テープの接着面を浸透印に押し付けて捺印する。
その後、更に接着テープを手動で搬送し、切断手段をもって所要の長さに切断する。
本発明では、連続して捺印することも可能であるし、ランダムな位置に捺印することも自由である。また、通常時は接着テープの接着面に接触しないため、インキの無駄な消費を抑えることができる。
【図面の簡単な説明】
【０００９】
【図１】本発明に係る接着テープスタンプ装置の構成図
【符号の説明】
【００１０】
１  外装体
２  接着テープ
３  回転体
４  浸透印
５  テープカッター
【図１】
2010214911.tif 000003
(57)【要約】【課題】発明の課題を簡潔に記載して下さい。三脚イーゼルに絵の具（パレット）等の置き台を取り付け、絵画制作上の便利性を得たい。【解決の手段】発明の解決手段を簡潔に記載して下さい。三脚イーゼルに金板と上蓋用ステーを取り付けることにより、絵の具（パレット）等を置く水平の台をつくることができ絵画制作時の便利性を得ることができる。又、上蓋用ステーを取り付けることで折りたたみができ、設置も収納もワンタッチで簡単にできる。イーゼルの収納スペースも従来通りで機能的でかつ効果的である。わがアトリエでの利用者の評判がよく、一般実用化をはかり絵画愛好者に便宜をはかりたい。【選択図】図１
2010214936.tif 000002
【特許請求の範囲】
【請求項１】
絵画用三脚イーゼルに絵の具（パレット）等を置ける台を取り付ける。
そのために、
１．三脚イーゼルに金板を取り付ける。金板は上下左右に移動できるようにネジで止める。
２．上蓋用ステーを利用して絵の具（パレット）等を置く台を取り付ける。
３．絵の具（パレット）等の置き台は上蓋用ステーを利用することで使用時の設置、使用後収納も折りたたみでき収納スペースも従来と変わらず便利である。
【発明の詳細な説明】
【発明が解決しようとする課題】
キャンバスの直下に絵の具（パレット）等を置ける台を取り付けることで両手が空き作業や制作がしやすくなり、便利性が増す。
【課題を解決するための手段】
三脚イーゼルに金板と上蓋用ステーを利用して水平面をつくり、絵の具（パレット）等を置くことが可能になる。又、収納がコンパクトで簡単にできる。
【発明の効果】
絵の具（パレット）等の置き台の設置で絵画制作上に格段の効率と便利性が生まれる。
又設置も収納もワンタッチで軽く、又簡単にでき、収納スペースも従来通りで、わがアトリエでも好評である。
【産業上の利用可能性】簡単に着脱でき経費も少額で利用価値が高いと思われる。
【図面の簡単な説明】
【図１】絵の具（パレット）等の置き台をつくるために金板と上蓋用ステーを取り付けたところを示した断面図である。
【符号の説明】１．絵の具（パレット）等を置く台．（ベニヤ板等）
２．上蓋用ステー
３．金板
４．蝶番
５．筆止め
６．キャンバス立て
７．収納時の動き
８．金板固定ネジ（移動可）
９．三脚イーゼル
【図１】
2010214936.tif 000003
(57)【要約】【課題】シートレンズがペンに取り付けられ、ペンとの角度が調整できる拡大レンズを提供する。【手段】ペンを通す円柱型のリングの縦方向にスリットを設け、リングの側面にアームを取り付ける。アームの両端に回転軸を設ける。回転軸にシートレンズを取り付けて本考案を構成する。【選択図】図４
2010214935.tif 000002
【特許請求の範囲】
【請求項１】
ペンを通す円柱形のリングの縦方向にスリットを設け、リングの側面にはアームが取り付き、アームの両端に回転軸を有し、回転軸にはシートレンズを設け、書き込み面が拡大して見える拡大レンズ。
【請求項２】
アームの両端に回転軸を有している請求項１のシートレンズのペンとの角度が調整できる拡大レンズ
【請求項３】
円柱形のリングに縦方向にスリットが設けられている請求項１のリングの内径が広げられる拡大レンズ
【発明の詳細な説明】
【技術分野】
【０００１】本発明は文字を書くときに、書き込み面を拡大して小さな文字を書きやすくするペンに取り付けて使用する拡大レンズに関する物である。
【背景技術】
【０００２】従来、拡大レンズは文字を読むときに多く使われているが、文字を書く時には書く手とは別の手に拡大レンズを持って書くか、スタンド型の拡大レンズを用いてなされている。
【発明の開示】
【発明が解決しようとする課題】
【０００３】文字を書くときシートレンズやその他の拡大レンズを使用するとき次のような問題点があった。片方の手に拡大レンズを持つので書き込み面が動かされないように手で押さえることができない。スタンド型は使用場所が制限される。
本発明は、以上の問題点を解決し、どこでも容易に書き込み面が拡大でき小さな文字を書くことができるようになされたものである。
【課題を解決するための手段】
【０００４】  ペンを通す円柱形のリングの縦方向にスリットを設ける。リングの側面にアームを取りつける。アームの両端に回転軸を設ける。回転軸にシートレンズをとりつける。
本発明は、以上の構成よりなるペン先の書き込み面が拡大できるペンに取り付ける拡大レンズである。
【発明の効果】
【０００５】本発明を使用して文字を書くとき片方の手は空いているので紙を押さえることが出来る。アームに付いている回転リングによりペンとシートレンズの向き合う角度が調整できるので、文字を書く人の好みのペン角度に調整できる。円柱形のリングにスリットが入っているので、ペンの太さが少し違ってもスリットが拡大するのでペンを挟み込むことが可能である。
【発明の実施すための最良の形態】
【０００６】以下、本発明の実施の形態を説明する。
（イ）シートレンズ（１）に回転軸（２）を設ける。
（ロ）ペン通しリング（３）にスリット（５）を設けアーム（４）を側面に取り付ける。
本発明は以上の構成よりなる。
本発明を使用する場合は、ペン通しリングにペンを好みの位置まで入れ込みシートレンズとペンの角度を調整する。
【図面の簡単な説明】
【０００７】
【図１】本発明の平面図
【図２】本発明の側面図
【図３】本発明の動作説明図
【図４】本発明の使用状態を示す斜視図
【符号の説明】
【０００８】１  シートレンズ
２  回転軸
３  ペン通しリング
４  アーム
５  スリット
【図１】
2010214935.tif 000003
【図２】
2010214935.tif 000004
【図３】
2010214935.tif 000005
【図４】
2010214935.tif 000006
(57)【要約】【課題】  風船を目的の形に形成でき、形状維持できるような風船を提供する。【解決手段】目的の形に形成でき、その形が維持可能な固まる性質のある合成樹脂で風船の合成樹脂膜（１）を形成する。  本発明は、以上の構造を持ち、合成性樹脂の合成樹脂膜（１）を表面に持った風船である。【選択図】図１
2010214077.tif 000002
【特許請求の範囲】
【請求項１】
目的の形の形成、形状維持が可能な薄い樹脂膜で形成された風船。
【発明の詳細な説明】
【技術分野】
【０００１】この発明は、目的の形の形成と形状維持ができる薄膜の樹脂でできた風船である。
【背景技術】
【０００２】従来、風船は紙やゴムや薄く柔らかなものや柔軟性のある樹脂の膜で形成されている。
【発明の開示】
【発明が解決しようとする課題】
【０００３】これは次のような欠点があった。
従来、風船は薄く柔らかなものや柔軟性のある樹脂の膜で形成されている為、丸いものが多い。角が丸い形状である。細部の表現が難しい。形状を容易に維持できない。
【課題を解決するための手段】
【０００４】目的の形に形成でき、その形が維持可能な固まる性質のある合成樹脂で風船の合成樹脂膜（１）を形成する。
本発明は以上の構造を持ち、目的の形に形成できその形が維持可能な固まる性質のある合成性樹脂の合成樹脂膜（１）を表面に持った風船である。
【発明の効果】
【０００５】目的の形に風船を作ることが可能である。また、目的の形に細部の凹凸を形成することができる。また、形成した形を維持することが可能である。
【発明を実施するための最良の形態】
【０００６】以下、本発明を実施するための最良の形態について説明する。
目的の形に形成でき、その形が維持可能な固まる性質のある合成樹脂の中でも平均して高い物性を持つ熱可塑性樹脂のポリカーボネートで風船の合成樹脂膜（１）を作る。必要に応じて穴を開けたり塞いだりして、風船内部の気体を出し入れすることができ、一般的な風船と同様の扱い方や感覚でこの風船を使用する事ができる。
【図面の簡単な説明】
【０００７】
【図１】本発明の斜視図である。
【図２】本発明の断面図である。
【符号の説明】
【０００８】１  合成樹脂膜
【図１】
2010214077.tif 000003
【図２】
2010214077.tif 000004
(57)【要約】      （修正有）【課題】乳児及び幼児の成長段階に合わせて使用できるスプーンの提供。【解決手段】通常のスプーンの持ち手１の先に湾曲部分を設け、手首に負担をかけない持ち手を構成した。更に持ち手の先端には、ズレ防止の突起を設けた。スプーンの食品を載せる部分４は、凹状態から凸状態に変化させることができる。【選択図】図１
2010214074.tif 000002
【特許請求の範囲】
【請求項１】
持ち手の枝の部分の材料は、▲４▼の部分の材料よりは強度のある材料を使用し、乳児及び幼児が誤ってお口に入れても無害な材料を使用。
【請求項２】
両手で凹凸出来る▲４▼の材料は、▲１▼▲２▼▲３▼の材料よりも軟質な材料を使用し、乳児及び幼児が誤ってお口に入れても無害な材料を使用。
【請求項３】
▲３▼の先端の突起は、乳児及び幼児が使用する際にズレを防ぐ為の突起である。
【請求項４】
▲４▼の食品を乗せる凹を両手で凸にさせることが出来ます。
【請求項５】
請求項４をする際には、▲１▼▲２▼▲３▼の持ち手の枝▲２▼▲３▼の曲がる部分が上下逆のカーブになる。
【発明の詳細な説明】
【技術分野】
【０００１】この発明は、無理なく１人で普通のスプーンを使用して食べられるようになるために、１人１人にピッタリの持ち手に合わせられる乳児及び幼児の発達に合わせることが出来るスプーンである。
【背景技術】
【０００２】一般に使用されているスプーンでは、乳児及び幼児が発達段階によって作られたスプーンは無く、乳児や幼児の発達に合ったスプーンがあれば、食べ物をお口に入れる楽しみが増え、また親や周りの人たちのまねをしたいと願いながら成長する子をサポートしながら、最終的には一般に使用されているスプーンへと促す役割のスプーンの発明である。
【発明の概要】
【発明が解決しようとする課題】
【０００３】一般のスプーンを乳児及び幼児には使用しながら食べ物をお口に運ぶのは困難な行為のため。
【課題を解決するための手段】
【０００４】乳児及び幼児の成長段階に合わせ使用出来るスプーンがあれば、誰もが無理なく食べ物を１人でお口に運べ、食事の楽しみが増え、自然に一般のスプーンへの使用させる準備段階の手段となる。
【発明の効果】
【０００５】乳児及び幼児の成長段階に合わせ使用出来るスプーンを使用することで易しく簡単に、そしてスムーズに玩具の一部の感覚で抵抗なく用いることが出来て、発明したスプーンを自ら持とうという気持ちへと変化し、より上の段階へと進歩するとともに、きれいなスプーンの持ち方が出来るようになるでしょう。
【図面の簡単な説明】
【０００６】
【図１】本発明の斜視図である。
【図２】本発明の▲４▼の部分を上下にした場合の斜視図である。
【符号の説明】
【０００７】▲１▼普通のスプーンの持ち手。
▲２▼成長にあたり、手首に負担かけない持ち手。
▲３▼先端に突起があることにより、ズレない持ち手。
▲４▼食品をのせる部分の凹から凸に変えられる。
【図１】
2010214074.tif 000003
【図２】
2010214074.tif 000004
(57)【要約】【課題】  衣類を折りたたむとき、折りたたみやすいように、板の上下左右の端に傾斜部を設けた衣類折りたたみ器を提供する。【解決手段】  長方形状の本体の板体（１）の上下左右に傾斜部（２）を設けた、衣類折りたたみ器を特徴とする。【選択図】図１
2010214073.tif 000002
【特許請求の範囲】
【請求項１】
長方形状の本体の板体（１）の上下左右に傾斜部（２）を設けた、衣類折りたたみ器。
【発明の詳細な説明】
【技術分野】
【０００１】  長方形状の本体の板体の上下左右に傾斜部を設け、かつ上下傾斜部の中央部に目印を設けた、衣類折りたたみ器に関するものである。
【背景技術】
【０００２】  従来、衣類は手で折りたたんでいた。
それにより、折りたたまれた衣類が左右非対称になる。
コンパクトにならない。
しわになる。
たたむ毎に折りたたみ後の大きさが異なる。
【発明の概要】
【発明が解決しようとする課題】
【０００４】  手で折りたたむと、折りたたまれた衣類が左右非対称になったりする。コンパクトにならず、しわが寄りクチャクチャになる。たたむ毎に折りたたみ後の大きさが異なる。
本発明は、以上のような欠点をなくすためになされたものである。
【課題を解決するための手段】
【０００５】  長方形状の本体の板体（１）の上下左右に傾斜部（２）を設け、かつ上下傾斜部（２）の中央部に目印（３）を設けた、衣類折りたたみ器に関するものである。
本発明は、以上の構成によりなる衣類折りたたみ器である。
【発明の効果】
【０００６】  板を衣類に置くので左右対称に折りたためる。どの服も同じ大きさで折りたたむことができる。なお折りたたむ大きさは、自由に変えることができる。
大きさを均一にすることで、タンスなどへの収納もしやすくなる。
【図面の簡単な説明】
【０００７】
【図１】  本発明の斜視図である。
【図２】  本発明の使用例を示す斜視図である。ａは、うつ伏せにした衣類の上にのせる図である。ｂは、折りたたみ器の左右両端に沿って衣類を折りたたむ図である。ｃは、折りたたみ器の下端に沿って衣類を折りたたみ、かつ、袖を折りたたむ図である。ｄは、折りたたみ器を衣類から抜く図である。ｅは、衣類を上下半分に折りたたむ図である。ｆは、折りたたんだ衣類を仰向けにする図である。
【発明を実施するための形態】
【０００８】  以下、本発明を実施するための最良の形体について説明する。
長方形状の本体の板体（１）の上下左右に傾斜部（２）を設け、かつ上下傾斜部（２）の中央部に目印（３）を設けた、衣類折りたたみ器に関するものである。
本発明は、以上のような構造である。
これを使用するときは、うつ伏せにした衣類の上にのせて、折りたたみ器の端に沿って、目印を衣類の中央付近に合わせ衣類を折りたたむ。
実施例として、
（イ）うつ伏せにした衣類の上にのせる。
（ロ）折りたたみ器の左右両端に沿って、衣類を折りたたむ。
（ハ）折りたたみ器の下端に沿って、衣類を折りたたむ。
（ニ）折りたたみ器を衣類から抜く。
そのあとは、衣類を上下半分に折りたたんだあと、仰向けにする。
これで、折りたたみ完了となる。
【符号の説明】
【０００９】  １  板体
２  傾斜部
３  目印
【図１】
2010214073.tif 000003
【図２】
2010214073.tif 000004
(57)【要約】【課題】日常、家庭で用いられる電気掃除機は重量があり、高い位置や狭い隙間の清掃に適さない。又、フロ−リングワイパ−は機具が壊れ易く、埃吸着用紙も利用面が一部分だけで不経済である。このことは日常に頻繁に利用する道具としては不便である。【解決手段】本発明のはたきは、流動パラフィンと忌避剤をコ−ティングした、静電気を起こし易いポリエステル不織布を用い、はたきの形に整形して埃吸着面を多くした。これを軽い自然素材の細竹の柄に巻き付けることによって、高い位置や狭い隙間、フロ−リング床や畳、階段の埃をたやすく吸着する。又、吸水性もあるため、床磨きワックス掛け、玄関のタイル拭きにも効果がある。使用後には、埃で汚れた部分を、止めてある輪ゴムの片方を引っ張って取り外し、廃棄する。【選択図】図４
2010214071.tif 000002
【特許請求の範囲】
【請求項１】
埃吸着使い捨て万能はたきに於いて
（１）形態は使用材質を表裏同時活用するために細いのれん型の切り込み入り。
（２）材質は静電気が起こり易いポリエステル製不織布。
（３）材質には埃の吸着力を高めるために流動パラフィンがコ−ティング。
（４）材質には防虫のための忌避剤噴霧。
（５）材質は水にも強いため雑巾としても使用可。
（６）材質を取り付ける柄は先端に滑り止め用としての節のある自然細竹使用。
（７）柄に材質着脱を簡単にするための輪ゴム使用
（８）使用後ははたき部分を燃えるごみとして廃棄。
以上からなる、埃吸着使い捨て万能はたき。
【発明の詳細な説明】
【技術分野】
【０００１】  本発明は、清掃用具等に関するものである。
【背景技術】
【０００２】  市販されている清掃用具は機具が重く、値段も高い。また、リ−スされている用具も値段が高い。老齢者や力の弱い人には扱いにくい品物が多い。【０００３】  この改善策として、はたきの形を利用することによって、たやすく家庭の埃を取り除き、清潔を保ち、汚れた部分を廃棄できて、必要経費の安い清掃用具が出来る。
【発明の開示】
【発明が解決しようとする課題】
【０００４】  解決しようとする問題点は、電気掃除機は重量があり、高い位置の清掃に適さない。又、フロ−リングワイパ−は機具が壊れ易く、埃吸着用紙も利用面が一部分だけで不経済である。このことは日常に頻繁に利用する道具としては不適当である。
【課題を解決するための手段】
【０００５】  本発明のはたきは、静電気を起こし易いポリエステル不織布を埃吸着面とし、軽い自然素材の細竹をはたきの柄として用いることによって、埃をたやすく吸着出来、使用後には埃で汚れた部分を簡単に捨て去ることができる。
【発明の効果】
【０００６】  本発明のはたきは、機具が軽いために、高い場所にも狭い隙間にも使用出来、埃をたやすく吸着する。【０００７】  本発明のはたきは、障子の桟、棚の上、フロ−リング床や、畳を軽く擦るだけで埃を吸着する。【０００８】  本発明のはたきは、水を吸着するので、ワックスかけや玄関のタイルの清掃にも適す。【０００９】  本発明のはたきは、安価に市販されている流動パラフィンと忌避剤をコ−ティングしたポリエステル不織布を用い、小型ののれんの形に整形したため埃吸着面積が多い。【００１０】  埃吸着面を固定する柄としての細竹は滑り止め部分に節があり、たやすく固定出来る。【００１１】  柄としての細竹に、はたきを固定するための輪ゴムは、着脱操作が簡単。【００１２】  使用済みのはたきは少量であり、燃えるごみとして廃棄出来る。そのために、洗濯の手間と洗剤と電力を必要としない。【００１３】  使用済みのはたきは洗濯にも耐え再利用も出来る。
【発明を実施するための最良の形態】
【００１４】  はたき部分は、小型ののれん型に整形したポリエステル不織布から成り、柄に巻き付けるのに取り付け易い。取り付ける柄は５０ｃｍの長さの細竹１本である。【００１５】  ポリエステル不織布は絡み易く、細竹の節で止まるので、輪ゴムをひと巻して、ひと縛りするだけで固定できる。
【実施例１】
【００１６】  障子の桟、棚の上、家具の隙間、畳の上、ビニ−ル床、フロ−リング床に軽く擦り、埃を吸着させる。【００１７】  玄関のタイルや滑らかなコンクリ−トの水拭きに耐える。【００１８】  床ワックス塗りに耐える。
【産業上の利用可能性】
【００１９】  掃除は毎日の必要不可欠なことであるため、掃除用具は軽便で、値段が安く、清潔がたやすく得られることが大事である。【００２０】  本発明のはたきの使用には、電力や動力を使用としないため自然環境のためにも効果的である。【００２１】  本発明のはたきは、乾拭きとしての利用範囲が、障子の桟、棚の上、家具の隙間、階段、フロ−リング、畳等として広い。【００２２】  本発明の材質は、水に濡れても強いため、床磨き用のワックスかけや、玄関タイルの雑巾かけとしても効果がある。【００２３】  本発明は、ポリエステル製不織布をはたきの形に整形したことで埃の吸着面が不織布の表裏と広がり、無駄が無い。【００２４】  本発明のはたきは軽くて頻度に耐える。【００２５】  使用後のはたきは、止めていた輪ゴムの片方を引っ張ることによって簡単に取り外すことが出来る。【００２６】  本発明の材質は、広く市販されているポリエステル製不織布と、庭木用に植生されている細竹であるため、はたきの製造がたやすい。【００２７】  本発明の製作には大きな機械は必要とせず、鋏と鋸を使うだけの手工業で成り立つ。
【図面の簡単な説明】
【００２８】
【図１】のれん型に裁断したポリエステル製不織布とはたきの柄となる細竹である。
【図２】ポリエステル製不織布を柄となる細竹に巻き付けはじめの図である。
【図３】ポリエステル製不織布を柄に巻き付けたものである。
【図４】輪ゴムを一巻一縛りして止め付けた完成図である。
【図５】使用後、はたき部分を取り外すために輪ゴムを外すところである。
【符号の説明】
【図１】
2010214071.tif 000003
【図２】
2010214071.tif 000004
【図３】
2010214071.tif 000005
【図４】
2010214071.tif 000006
【図５】
2010214071.tif 000007
(57)【要約】      （修正有）【課題】コスト低減、コース作成の自在性と運搬を容易に行えるローラーブレードやスケートボード、ＢＭＸのコース構築用ユニットの提供。【解決手段】ユニット式にし、進入板と足の組み合わせで、さまざまな形状を構成できるようにする。【選択図】図１
2010214078.tif 000002
【特許請求の範囲】
【請求項１】
ユニット式にし、自由に組み合わせできることを特徴とするカブボックス。
【請求項２】
直線、曲線のパイプと二股のパイプ、進入板を適宜に組み合わせることにより、さまざまな形状の滑走面を構成することができることを特徴とする遊戯用滑走装置。
【請求項３】
車輪を適宜に組み合わせることで、運搬台車として使用できることを特徴とする遊戯用滑走装置。
【発明の詳細な説明】
【技術分野】
【０００１】本発明は、ローラーブレードやスケートボード、ＢＭＸ（以下ローラーブレードと約）の遊戯用装置に関するものであり、コストの低減、コースの自在性を兼ね備え、運搬を容易におこなえる構築用ユニットに関するものである。
【背景技術】
【０００２】従来から、カブボックス、公園のベンチなどがあったが、コストが高く、遊戯できるパターンが少なく、運搬が困難であった。
【発明が解決しようとする課題】
【０００３】コストの低減、コースの自在性、運搬労力の低減を実現したものを提供する。
【課題を解決するための手段】
【０００４】手で持てる程度の大きさのユニット式にし（図２）、ジョイントをもうけ、さまざまな組み合わせを構築できるユニットで構成することができる。
【０００５】［連続した直線部の構成］（図３参照）に示すように図２のベースユニットを連続しておき、両端脚部に直線のパイプ、接続部に二股のパイプもしくは直線のパイプを２つ並べておき連続した直線部を構成することができる。
【０００６】［段違い状のユニットの構成］（図４、図５参照）に示すように図２のベースユニットを連続しておき脚部の高さを違え、両端に直線のパイプ、接続部に二股のパイプもしくは直線のパイプを並べておき適宜に組み合わせることにより、段違い状のユニットを構成することができる。
【０００７】［スロープ部の構成］（図６、図７、図８、図１０参照）曲線のパイプと進入板、直線のパイプを適宜に組み合わせることにより、大きさ、高さ、角度を自在に変えたスロープを構成することができる。
【０００９】［運搬台車の構成］（図９参照）車輪のついたパイプを適宜に組み合わせることにより、運搬時の台車として使用することができる。
【００１０】［ミニランプの構成］（図１１参照）ユニットを段違いに構成することにより、ミニランプのベースの土台を構成することができる。
【００１１】これらの組み合わせを、たて、横につなぐことで自由なコースの構成を可能にすることができる。
【発明の効果】
【００１２】本発明により、スケートパークの設営、撤去が、コスト面と労力面で大幅に低減できる。
【図面の簡単な説明】
【００１３】
【図１】単体使用時のユニット立体図である。
【図２】ベースとなるユニットの立体図である。
【図３】連続した直線部の側面図と、使用部品の立体図である。
【図４】段違い状ユニットの立体図である。
【図５】段違い状ユニットの側面図と、使用部品の立体図である。
【図６】大型のスロープ部の、使用部品立体図である。
【図７】大型のスロープ部の、使用部品立体図である。
【図８】大型のスロープ部の側面図である。
【図９】運搬台車としての使用時の側面図と、使用部品の立体図である。
【図１０】小型のスロープとしての使用時の、側面図と使用部品の立体図である。
【図１１】ミニランプとして使用時の、側面図である。
【発明を実施するための形態】
【００１４】図１で示したような単体のユニットを持ち運ぶことにより、気軽に遊戯することが可能になる。
【００１５】ベースのユニットと部品を多数使用することにより、短時間でパークの設営、撤去、組み換えが可能である。
【００１６】これらのユニットの材質は、一般的な鉄材で製作可能である。
【産業上の利用可能性】
【００１７】本発明に関する遊戯用滑走装置は、技術的に簡単なため、産業上の利用可能性を有する。
【符号の説明】
【００１８】１    単体使用時のユニット
２    ベースとなる部分
３    ジョイント用脚部
４    隅部用脚部
５    連続した直線ユニット
６    隅部用脚部
７    段違い部ジョイント用脚部
８    隅部用脚部
９    段違いユニット
１０  スロープ用脚部
１１  スロープジョイント用脚部
１２  スロープジョイント用脚部
１３  進入板
１４  隙間部用ジョイント
１５  隅部用脚部
１６  大型スロープ
１７  運搬用脚部
１８  運搬用台車
１９  小型スロープ用脚部
２０  小型スロープ
２１  ミニランプ
【図１】
2010214078.tif 000003
【図２】
2010214078.tif 000004
【図３】
2010214078.tif 000005
【図４】
2010214078.tif 000006
【図５】
2010214078.tif 000007
【図６】
2010214078.tif 000008
【図７】
2010214078.tif 000009
【図８】
2010214078.tif 000010
【図９】
2010214078.tif 000011
【図１０】
2010214078.tif 000012
【図１１】
2010214078.tif 000013
(57)【要約】【課題】硬式テニスの打撃練習の場合、ラケットの中心でボールを打つ競技なのでラケットのフレームが邪魔になり空中に静止した状態から打つ練習は出来なかった。  本発明は、ラケットに衝撃をほとんど与えることなく、空中に静止した状態でボールを打つことを可能にする練習機を提供する。【解決手段】支柱から伸びたアームの先端から伸縮性のある線体を垂らし、その端にボール表面の繊維に引っかかるテープを設ける。【選択図】図１
2010214079.tif 000002
【特許請求の範囲】
【請求項１】
打ちたいボールの高さ以上である支柱の根元近くに、取り外し可能な複数の安定脚を設け、支柱の一定の高さにスライド可能な留め具を設け、支柱の先端にアームを設け、アームの根元と先端部に伸縮性の線体を通すガイド部を設け、スライド可能な留め具からアームの二つのガイド部を通り、アームの先端から垂らした伸縮性の線体を設け、線体の先端部にテニス硬式ボール表面の繊維に引っかかるテープを取り付けたことを特徴とする硬式テニス練習機。
【発明の詳細な説明】
【技術分野】
【０００１】  本発明は、硬式テニスの打撃練習に関するものである。
【背景技術】
【０００２】  衝撃を吸収する装置に固定されたボールを打撃する練習機がある。
【先行技術文献】
【０００３】
【特許文献１】  特開  昭６３−１０９８８２号公報
【発明の概要】
【発明が解決しようとする課題】
【０００４】  野球のバッティング練習ではゴム等で作られた受け台にボールを乗せ、バットでボールを打ち練習することが可能ですが、硬式テニスでは受け台に乗せたボールを打つと、ラケットのガットとフレームが受け台にぶつかり衝撃を受けてしまうので、実現難しく、また固定したボールを打つ練習装置の場合は打撃したボールの軌跡を見ることが出来ないうえ、打撃の衝撃を吸収するため大掛かりな装置が必要である。
【課題を解決するための手段】
【０００５】  打ちたいボールの高さ以上である支柱の根元近くに、取り外し可能な複数の安定脚を設け、支柱の一定の高さにスライド可能な留め具を設け、支柱の先端にアームを設け、アームの根元と先端部に伸縮性の線体を通すガイド部を設け、スライド可能な留め具からアームの二つのガイド部を通り、アームの先端から垂らした伸縮性の線体を設け、線体の先端部にテニス硬式ボール表面の繊維に引っかかるテープを取り付ける。
以上の構成からなる硬式テニス練習機である。
【発明の効果】
【０００６】ラケットのフレームに殆んど衝撃を受けることなく、空中にあるボールを打つことが出来、ボールの軌跡も実際に打った時と近い軌跡を描き飛んでいく。又、打撃の衝撃は打たれたボールに主に伝わるため、衝撃を吸収する装置は必要ない。
【図面の簡単な説明】
【０００７】
【図１】本発明の斜視図
【発明を実施するための形態】
【０００８】（イ）取り外し可能な複数の安定脚（１）で支えられた支柱（２）の上部にアーム（３）を設ける。
（ロ）支柱（２）とアーム（３）に伸縮性の線体（４）を通すガイド（５）を設ける。
（ハ）支柱（２）にガイド（５）を通った伸縮性の線体（４）の端を取り付けるスライド可能な留め具（６）を設ける。
（ニ）支柱（２）に取り付けられたスライド可能な留め具（６）からガイド（５）を通りアーム（３）の先端から下げられた伸縮性の線体（４）にボール表面の繊維に引っかかるテープ（７）を設ける。
本発明は以上のような構成である。
これを実際に使用するときは、ボール表面の繊維に引っかかるテープ（７）に硬式テニスボール（８）を圧着する。
支柱（２）に取り付けられたスライド可能な留め具（６）を動かし、練習したい高さに硬式テニスボール（８）を合わせ打撃する。
打撃された硬式テニスボール（８）は、打撃された瞬間に、ボール表面の繊維に引っかかるテープ（７）から離れ空中に飛ぶ。
【産業上の利用可能性】
【０００９】本発明をテニススクールなどで使えば、まだ運動神経が発達していない幼児や、動いているボールだと上手く打てない人もテニスの楽しさを実感できる。
一人でも練習できる。
【符号の説明】
【００１０】（１）取り外し可能な複数の安定脚、（２）支柱、（３）アーム、（４）伸縮性の線体、（５）ガイド、（６）スライド可能な留め具（７）ボール表面の繊維に引っかかるテープ、（８）硬式テニスボール
【図１】
2010214079.tif 000003
(57)【要約】【課題】  縫製が容易で、洗濯をした際に洗いやすく乾きやすいよう、平面の布でできたシンプルな構成のだっこポーチを提供する。  実用性を高めるために、ポーチ本体内部にクッションの代わりとなるブランケットを収納できるだっこポーチを提供する。【解決手段】  小さくたたんだブランケット（１）を、ポーチ本体布（２）で包み、上下を合わせる止め具（３）を設けて収納し、ポーチ本体布（２）の左右にウエストに巻くベルト布（４）を設け、ポーチ本体布（２）の赤ちゃんの座る面にクッションシート（５）を設けたブランケット収納型だっこポーチを特徴とする。【選択図】図３
2010214076.tif 000002
【特許請求の範囲】
【請求項１】
（イ）ブランケット（１）を設ける。
（ロ）ブランケット（１）を小さくたたみ、ポーチ本体布（２）で包み、上下が合わさるように止め具（３）を設ける。
（ハ）ポーチ本体布（２）の左右に、ウエストに巻くベルト布（４）を設ける。
（ニ）ポーチ本体布（２）の赤ちゃんが座る面に、クッションシート（５）を設ける。
以上の構成よりなる、ブランケット収納型だっこポーチ。
【発明の詳細な説明】
【技術分野】
【０００１】  この発明は、小さくたたんだブランケットを、ポーチ本体布で包んで、止め具で合わせて収納し、左右にベルト布を設け、赤ちゃんの座る面にクッションシートを設けた、ブランケット収納型だっこポーチに関するものである。
【技術背景】
【０００２】  従来、赤ちゃんのだっこポーチの形は立体的で、複雑な構成になっていた。
従来、赤ちゃんのだっこポーチの内部には、発泡スチロール等の詰め物がクッションとして入っていた。。
【発明の概要】
【発明が解決しようとする課題】
【０００３】  これは、次のような欠点があった。
従来、赤ちゃんのだっこポーチの形は立体的で、複雑な構成になっているため、縫製が難しく、洗濯をした際に洗いづらく乾きにくかった。
さらに、ポーチ本体の内部には発泡スチロール等の詰め物が入っており、詰め物自体には実用性がなかった。
本発明は、以上のような欠点をなくすためになされたものである。
【課題を解決するための手段】
【０００４】  ブランケット（１）を設ける。
ブランケット（１）を小さくたたみ、ポーチ本体布（２）で包み、止め具（３）で合わせて収納する。
ポーチ本体布（２）の左右に、ウエストに巻くベルト布（４）を設ける。
ポーチ本体布（２）の赤ちゃんの座る面に、クッションシート（５）を設ける。
本発明は、以上の構成よりなるブランケット収納型だっこポーチである。
【発明の効果】
【０００５】  ブランケットを小さくたたみ、それをポーチ本体の内部に収納してクッションの代わりとするため、赤ちゃんが眠ったときや寒さを感じたときなど、必要に応じて取り出して使うことができ、実用的である。
だっこポーチ本体が、平面の布でできており、シンプルな構成となっているため、縫製が容易で、洗濯をした際に洗いやすく乾きやすい。
【発明を実施するための形態】
【０００６】  以下、本発明を実施するための最良の形態について説明する。
ポーチ本体布（２）の内部に、小さくたたんだブランケット（１）をクッションとして収納し、止め具（３）を合わせて止める。ベルト布（４）を腰に巻いて結んで、ウエストポーチ状とし、その上に赤ちゃんを座らせて手で支える。
このだっこポーチを一般のおんぶ・だっこひもと併用すると、赤ちゃんのおしりの下に手を添えて支えたときと同様の効果があり、使用者の肩への負担と赤ちゃんのからだへの負担を減らすことができる。
本発明は、以上のような構造である。
【図面の簡単な説明】
【０００７】
【図１】  本発明のブランケットを示した説明図である。
【図２】  本発明のポーチ本体を展開した状態を示した説明図である。
【図３】  本発明のブランケットをポーチ本体内部に収納した状態を示した説明図である。
【図４】  本発明のブランケットをポーチ本体内部に収納し、止め具で合わせた状態を示した説明図である。
【図５】  本発明のポーチを腰に付けた使用状態を示した説明図である。
【図６】  本発明のポーチを腰に付け、赤ちゃんを座らせてだっこした使用状態を示した説明図である。
【符号の説明】
【０００８】  １  ブランケット
２  ポーチ本体布
３  止め具
４  ベルト布
５  クッションシート
【図１】
2010214076.tif 000003
【図２】
2010214076.tif 000004
【図３】
2010214076.tif 000005
【図４】
2010214076.tif 000006
【図５】
2010214076.tif 000007
【図６】
2010214076.tif 000008
(57)【要約】【課題】水中にただようゴミを、流れ出ないように網袋に筒を合わせ、網袋に重りをつけたゴミすくい除去具である。【解決手段】ゴミが流れ出ないように、網袋に合わせた筒の両端、開口部を大小として筒から、網袋に通ったゴミを戻すことなく集めることを特徴とするゴミすくい除去具。【選択図】図１
2010214082.tif 000002
【特許請求の範囲】
【請求項１】
ゴミが流れ出ないように網袋の前方開口部に枠を設け  網袋の後方に重りを設け前記枠に筒を嵌合し筒を通って網袋に入ったゴミが戻ることなく集まるように、この筒の両端の一方を広く開け、他方を狭く形成したことを特徴とするゴミすくい除去具。
【発明の詳細な説明】
【技術分野】
【０００１】本発明は、浴槽などの水中にただようゴミや髪の毛をすくうとき、水の圧力でゴミが逆流することなく  ゴミをすくい集めることができるゴミすくい除去具に関するものである。
【背景技術】
【０００２】従来  浮きゴミ回収ネット（特許文献１参照）またゴミこしネット（特許文献２参照）などがあった。
【先行技術文献】
【０００３】
【特許文献１】特許公開８−１６４２９３号公報
【特許文献２】出願公開２００８−２０６９４１
【発明の概要】
【発明が解決しようとする課題】
【０００４】それには次のような問題点があった。
（イ）ネットが平面なので、ゴミがついたまま繰り返し使うと水中にゴミが流れ出てしまった。
（ロ）ネットが平面なので、少ないゴミしかすくえなかった。
（ハ）ゴミをすくい終えたネットには、細かいゴミなどがネットの編み目に入り込んで毎回、取り除くのに手間が、かかった。
本発明は以上のような欠点をなくすためになされたものである。
【課題を解決するための手段】
【０００５】ゴミが流れ出ないように網袋の前方開口部に枠を設け、後方には重りを設け、前記枠に筒を嵌合し、その筒の両端の一方は広く開け他方は狭くし筒を通って網袋に入ったゴミを戻すことなく集める。本発明は以上の構成によりなるゴミすくい除去具である。
【発明の効果】
【０００６】筒に大小の開口部を設け網袋と合わせたことで、水中にただようゴミを逆流することなく集め、網袋に集まったゴミは、網袋の重りの流れで開口部を塞ぐ調節ができる。ゴミは完全に戻ることはない。集まったゴミは、枠を外すと簡単に捨てることができる。
【図面の簡単な説明】
【０００７】
【図１】本発明の斜視図
【図２】本発明の断面図
【図３】本発明の斜視図、網袋を筒から外し取る。
【図４】本発明の斜視図、水中で網袋を流す様子。
【図５】本発明の斜視図、水中で網袋を後ろに流す様子。
【発明を実施するための形態】
【０００８】以下本発明を実施するための形態について説明する。
網袋（１）の開口部枠（２）と、筒（３）を嵌合し、水中にただようゴミをすくい集める。網袋（１）に集めたゴミは、枠（２）を取り外し、簡単に捨てられる。
本発明は、以上のような構造で、これを使用するときは、筒（３）の上部にある取っ手（６）を持ち水中にただようゴミを捨い集める。筒（３）の前方の広く開いた口（４）から、ゴミが入ると、後方の狭い口（５）へ流れ、網袋（１）へ入る。ゴミが網袋（１）へ入ると柔らかい網袋（１）の中で水圧に押され集まる。また取手（６）を、後ろ方向に流したとき、網袋（１）の重り（７）が流れで調節され、筒（３）の口（５）を塞ぐので、ゴミの逆流を防ぐ。集まったゴミは枠（２）から取り外し簡単に捨てることが出来る。
【符号の説明】
【０００９】１  網袋
２  枠
３  筒
４  前方の広い口
５  後方の狭い口
６  取っ手
７  重り
【図１】
2010214082.tif 000003
【図２】
2010214082.tif 000004
【図３】
2010214082.tif 000005
【図４】
2010214082.tif 000006
【図５】
2010214082.tif 000007
(57)【要約】【課題】本発明は食品をこわけ保存するとき、一人分づつにもこわけできる耐熱樹脂シートで、袋になり冷凍冷蔵できる。取り出し後はそのまま電子レンジ使用できる。取り出すときは口を止めた上が熱くなく素手で取りだせる。食品の取り出しは横かそこを裂くことで取り出せる。こわけ、冷凍、冷蔵、そのまま電子レンジ加温できるシート、袋になる物を提供する。【解決手段】耐熱樹脂に丸状凹状シートを設ける。シートに口をとじるテープ、ヒモを設ける。シートに切り裂け口を設ける。【選択図】図１
2010214083.tif 000002
【特許請求の範囲】
【請求項１】
耐熱樹脂丸形凹状シートを有する。
【請求項２】
口止め、テープ、ヒモを有する
【請求項３】
シートより厚い裂け口と引くベロを有する。
【発明の詳細な説明】
【発明の詳細な説明】
【０００１】  本発明は食品を冷凍冷蔵保存、取り出しそのまま電子レンジ使用できるシートに関するものである。
【背景技術】
【０００２】  従来、冷凍、冷蔵、電子レンジする食品は、袋、ラップ、容器を利用保存してます。電子レンジ使用のときは、別容器に入れかえる、電子レンジ後入れかえることがなされてます。取りだすときの蒸気熱さ、取り口がさがしずらい、熱くて素手でもてない、入れかえ容器の洗い、水洗、乾燥がなされてます。
【発明の開示】
【発明が解決しようとする課題】
【０００３】  食品をこわけ冷凍、冷蔵、電子レンジするときは、次の様な問題がありました。容器、袋、ラップを使用保存してます。冷凍品のラップあけ始め口がわかりずらい、容器のかさばり、電子レンジ不可、別容器へのあけかえ、電子レンジ後の持ち出しが熱く素手での取り出しができない。後の容器の洗い、水洗、乾燥の問題がありました。
【課題を解決するための手段】
【０００４】  耐熱樹脂に丸形凹シートを設ける。シートに口をふさぐテープ、ヒモ又は別テープ、ヒモを設けるシートの中心近くに厚さがある切り裂け口と引き切るベロを設ける。
【発明の効果】
【０００５】  本発明を使用することで、一人分づつでもこわけでき口をふさぎ、冷凍、冷蔵保存し、取り出し、その袋のまま電子レンジできる。加熱した食品は口の上が熱くならず素手で持つことができる。袋のままでは汁もれを防止し弁当などに入れられる。裂け口を作ることで取り出し皿にもることができる。
【課題を解決するための手段】
【０００４】  耐熱樹脂に丸形凹シートを設ける。シートに口をふさぐテープ、ヒモ又は別テープ、ヒモを設ける。シートの中心近くに厚さのある部分の裂け口を設ける。ベロを設け引くことで裂け口ができる物を設ける。
【発明の効果】
【０００５】  本発明を使用することで、一人分づつでもこわけできる。口を絞り、ふさぎ、冷凍、冷蔵保存できる。取り出しそのまま電子レンジに入れられる。加温後は口を止めた上部が熱くならず素手で取り出せる。少々の汁物では、汁もれなくそのまま弁当に入れられる。取り扱いの手間がかからない袋となるシートである。
【発明を実施するための最良の形態】
【０００６】（イ）耐熱樹脂に（１）丸形凹シートを設ける。
（ロ）（１）に口を絞りとめた後、口を止める（２）絞り止めテープを設ける。
（ハ）別に（４）止めテープ、（５）止めひもを設けてもよい。
（ニ）（１）の横、中心近くに（３）厚さのある部分を設け、ベロを引くことで切り口を作る物を設ける。
本発明は以上の構成によりなる。
本発明を使用する場合は食品を（１）に入れる。口を絞る。（２）の絞り止めテープでとめる。冷凍冷蔵保存する。取り出し後は常温解凍、電子レンジ加温する。食品の取り出しは（３）裂き切り口を引くことで取り出す。又はナイフ等で切り開き取り出す。
【図面の簡単な説明】
【０００７】
【図１】  本発明の斜視図
【図２】  本発明の下視図
【図３】  本発明のテープ、ヒモ図
【符号の説明】
【０００８】  （１）丸形凹状シート、（２）絞り止めテープ、（３）裂き切り口、（４）止めテープ、（５）止めひも
【図１】
2010214083.tif 000003
【図２】
2010214083.tif 000004
【図３】
2010214083.tif 000005
(57)【要約】【課題】本発明は、電気シェイバーを清潔で安全簡単に使用することができる吸引電気シェイバーを提供する。【解決手段】吸引電気シェイバー本体（１）でヒゲをそり、ヒゲカス吸引口（７Ａ）から吸い込み、シェイバー本体ソケット（４）を通りヒゲカス排出（１５）に排出され掃除機ホ−ス吸引口（１７）に吸引される。従来の電気シェイバーとして使用する時はヒゲカス吸引口（７Ａ）、シェイバー本体ソケット（４）に各々キャップを取り付け固定する、吸引電気シェイバー。【選択図】図１
2010214081.tif 000002
【特許請求の範囲】
【請求項１】
（イ）本体（１）カミソリの刃（８）の下部にヒゲカス吸引口（７Ａ）シェイバー本体ソケット（４Ａ）まで管を引き本体排出口を設ける。
（ロ）チューブ（２）を伸ばし吸引増減機本体ソケット（５）に接続、吸引増減機本体（１４）に引き込みヒゲ排出口（１５）まで伸ばし固定する。
（ハ）空気取り込み口開閉握り（１３）を左右に回すことにより空気取り込み口（９）最大（１０）から最少（１１）のときヒゲ排出口（１５）が最大になる。
（ニ）掃除機の種類でホース吸引口が異なるため掃除機ホース吸着台（１６）を大きくし吸着台に掃除機ホースが密着するよう、ゴムシート（１６Ａ）張り付けた、掃除機ホース吸引口最大（１２Ａ）から掃除機ホース吸引口最小（１２Ｂ）にし、掃除機ホース吸引口（１７）が掃除機への入り口になる。
（ホ）掃除機ホ−ス吸引口固定筒（１８）に掃除機ホ−ス吸引口固定スプリング（１９Ａ）、（１９Ｂ），（１９Ｃ），（１９Ｄ），（１９Ｅ），（１９Ｆ）を取り付け固定する。
（ヘ）従来の電気シェイバーとして使用する時はヒゲカス吸引口（７Ａ）の上に吸引口キャップ（７Ｂ）を、シェイバー本体ソケット（４）の下にソケットキャップ（６）を各々取り付け固定する。
以上を特徴とする吸引電気シェイバー。
【発明の詳細な説明】
【技術分野】
【０００１】  本発明は、電気カミソリ使用中ヒゲカスの二重切り、ヒゲカス飛び出し、または電気カミソリ使用後カミソリ内にたまったヒゲカスを水洗いまたはブラシで取るが、エアーで簡単に吸引できるように工夫した、吸引電気シェイバーに関するものである。
【背景技術】
【０００２】  従来の吸引電気シェイバーはヒゲカス二重切り、ヒゲカス飛び出し、鼻から吸い込む、または洗面所で水洗いしながらブラシで取らなければならなかった。
【発明が解決しようとする課題】
【０００３】  そのため次のような問題点があった。
（イ）電気シェイバーの、刃の水洗いが面倒であった。
（ロ）ブラシでこすり取るのが面倒であった。
（ハ）ヒゲカスの二重切りのため刃が傷みやすい。
（ニ）ヒゲカスが飛び出す。
（ホ）鼻からヒゲカスを吸い込みやすい。
【課題を解決するための手段】
【０００４】（イ）吸引電気シェイバー本体（１）カミソリの刃（８）の下部にヒゲカス吸引口（７Ａ）シェイバー本体ソケット（４Ａ）まで管を引き本体排出口を設ける。
（ロ）チューブ（２）を伸ばし吸引増減機本体ソケット（５）に接続、吸引増減機本体（１４）に引き込みヒゲ排出口（１５）まで伸ばし固定する。
（ハ）空気取り込み口開閉握り（１３）を左右に回すことにより空気取り込み口（９）最大（１０）から最少（１１）のときヒゲ排出口（１５）が最大になる。
（ニ）掃除機の種類でホース吸引口が異なるため掃除機ホース吸着台（１６）を大きくし吸着台に掃除機ホースが密着するよう、ゴムシート（１６Ａ）張り付けた、掃除機ホース吸引口最大（１２Ａ）から掃除機ホース吸引口最小（１２Ｂ）にし、掃除機ホース吸引口（１７）が掃除機への入り口になる。
（ホ）掃除機ホ−ス吸引口固定筒（１８）に掃除機ホ−ス吸引口固定スプリング（１９Ａ）、（１９Ｂ），（１９Ｃ），（１９Ｄ），（１９Ｅ），（１９Ｆ）を取り付け固定する。
（ヘ）従来の電気シェイバーとして使用する時はヒゲカス吸引口（７Ａ）の上に吸引口キャップ（７Ｂ）を、シェイバー本体ソケット（４）の下にソケットキャップ（６）を各々取り付け固定する。
以上を特徴とする吸引電気シェイバーである。
【発明の効果】
【０００５】  本発明は、吸引電気シェイバーを使うことによりエアーで簡単に吸引でき清潔で安全簡単に使用することができる。
【発明を実施するための最良の形態】
【０００６】（イ）吸引電気シェイバー本体（１）カミソリの刃（８）の下部にヒゲカス吸引口（７Ａ）シェイバー本体ソケット（４Ａ）まで管を引き本体排出口を設ける。
（ロ）チューブ（２）を伸ばし吸引増減機本体ソケット（５）に接続、吸引増減機本体（１４）に引き込みヒゲ排出口（１５）まで伸ばし固定する。
（ハ）空気取り込み口開閉握り（１３）を左右に回すことにより空気取り込み口（９）最大（１０）から最少（１１）のときヒゲ排出口（１５）が最大になる。
（ニ）掃除機の種類でホース吸引口が異なるため掃除機ホース吸着台（１６）を大きくし吸着台に掃除機ホースが密着するよう、ゴムシート（１６Ａ）張り付けた、掃除機ホース吸引口最大（１２Ａ）から掃除機ホース吸引口最小（１２Ｂ）にし、掃除機ホース吸引口（１７）が掃除機への入り口になる。
（ホ）掃除機ホ−ス吸引口固定筒（１８）に掃除機ホ−ス吸引口固定スプリング（１９Ａ）、（１９Ｂ），（１９Ｃ），（１９Ｄ），（１９Ｅ），（１９Ｆ）を取り付け固定する。
（ヘ）従来の電気シェイバーとして使用する時はヒゲカス吸引口（７Ａ）の上に吸引口キャップ（７Ｂ）を、シェイバー本体ソケット（４）の下にソケットキャップ（６）を各々取り付け固定する。
【図面の簡単な説明】
【０００７】
【図１】本発明の本体正面図
【図２】本発明の吸引増減機本体平面図
【図３】本発明の吸引増減機本体側面図
【符号の説明】
【０００８】    １        シェイバー本体
２        チューブ
３        本体ヒゲカス排出口
４        シェイバー本体ソケット
５        吸引増減機本ソケット
６        ソケットキャップ
７Ａ      ヒゲカス吸引口
８Ｂ      吸引口キャップ
９        空気取り込み口
１０      最大
１１      最少
１２Ａ    掃除機ホ−ス吸引口最大
１２Ｂ    掃除機ホ−ス吸引口最小
１３      空気取り込み開閉握り
１４      吸引増減機本
１５      ヒゲカス排出
１６      掃除機ホ−ス吸着台
１７      掃除機ホ−ス吸引口
１８      掃除機ホ−ス吸引口固定筒
１９Ａ    掃除機ホ−ス吸引口固定スプリング
１９Ｂ    掃除機ホ−ス吸引口固定スプリング
１９Ｃ    掃除機ホ−ス吸引口固定スプリング
１９Ｄ    掃除機ホ−ス吸引口固定スプリング
１９Ｅ    掃除機ホ−ス吸引口固定スプリング
１９Ｆ    掃除機ホ−ス吸引口固定スプリング
【図１】
2010214081.tif 000003
【図２】
2010214081.tif 000004
【図３】
2010214081.tif 000005